(57)【要約】【課題】耐火構造体に空気流通坑口と空気坑を配置した囲炉裏を提供する。【構成】実施例１・２発明の囲炉裏は囲炉裏火箱９に収納する耐火構造体側壁４に、空気流通坑口６と空気坑７を設け、又、底壁５にも空気流通坑口８ａと空気坑８、さらに空気保有ゾーン１０を設け、空気坑７・８ａを連結することで、空気流通坑口６から空気が流通して耐火構造体に収納する灰１１に側面空気坑７からと底壁５・保有ゾーン１０を通して底面空気坑８からも流通する構造となっている。【選択図】  図１
2005030654.tif 000002
【特許請求の範囲】
【請求項１】
囲炉裏火箱に収納する耐火構造体に、空気流通坑口と空気坑を配置したことを特徴とする囲炉裏
【請求項２】
前記空気坑配置には、耐火構造体側壁に空気流通坑口と空気坑を設け、底壁に設けられた空気坑を連結することで、灰が収納されて埋もれている側壁と底壁の空気坑を通して空気が灰に自然に流通することを特徴とする請求項１記載の囲炉裏
【請求項３】
前記空気坑配置には、火箱に空気流通坑口を設け、収納される耐火構造体底壁と側壁に設けられた空気坑を連結することで耐火構造体に収納された灰に空気坑を通して空気が灰に自然に流通することを特徴とする請求項１、又は２記載の囲炉裏
【請求項４】
前記耐火構造体は、天然の赤土・粘土、又は人造の固形断熱材・セメント及び金属を用いたことを特徴とする請求項１、又は２・３記載の囲炉裏
【請求項５】
前記耐火構造体に収納する灰は、木材等の燃焼灰（木灰）の他、粒状のセラミック粒・ガラス発泡軽量粒の人工粒・天然の砂・火山砂を用いたことを特徴とする請求項１、又は２・３・４記載の囲炉裏
【発明の詳細な説明】
【０００１】
【発明の属する技術分野】
本発明は囲炉裏の構造に関し、詳しくは火箱内に収納する耐火構造体に空気坑を配置した囲炉裏に関する
【０００２】
【従来の技術】
木枠を四角形に組み合わせた炉縁内に火鉢部を配置し、その火鉢部周縁部、及び底部に赤土・セメント等の耐火構造体としたもので、その耐火構造体に空気が自然に流通する機能を保有するものは無い。
【０００３】
【発明が解決しようとしている課題】
本発明囲炉裏は火箱内耐火構造体に空気流通坑口と空気坑を配置し、耐火構造体内に収納する木材等の燃焼灰（木灰）の他、粒状のセラミック粒・ガラス発泡軽量粒の人工粒、又、天然の砂・火山砂等に空気を自然に流通させる囲炉裏を提供することを目的とする。
【０００４】
【課題を解決するための手段】
本発明の囲炉裏は火箱耐火構造体に配置した空気流通坑口から空気坑を通して自然に空気が流通し、その耐火構造体内に収納する木材等の燃焼灰（木灰）に酸素を与え燃焼する炭火の底部全体に活力を与え燃焼が増強する。
【０００５】
囲炉裏の使用しない期間は耐火構造体に配置した空気流通坑口から空気坑に空気が流通して湿気を含みやすい燃焼灰（木灰）を、常時活性化させ湿気防止対策となる。
【０００６】
本発明の囲炉裏は火箱に収納する耐火構造体に空気流通坑口と空気坑を配置することで、木材等の燃焼灰（木灰）の粉体よりも粒状のセラミック粒・ガラス発泡軽量粒の人工粒、又、天然の砂・火山砂等が粒状なので、粉体よりもより一層空気が流通して炭火の底部全体に更に活力を与え燃焼が増強する。
【０００７】
木材等の燃焼灰（木灰）の入手困難な現在、粒状のセラミック粒・ガラス発泡軽量粒の人工粒、又、天然の砂・火山砂等が使用できることは、燃焼灰（木灰）の代用としての発見である。
【０００８】
本発明は耐火構造体に空気流通坑口と空気坑を配置することは、耐火構造体に収納する燃焼灰（木灰）及びセラミック粒・ガラス発泡軽量粒、又、天然の砂・火山砂等を通して空気が流通して炭火の底部全体に活力を与え燃焼が増強することで、灰の発生を抑制し発生する二酸化炭素等の有害ガスをも抑制されるクリーンな囲炉裏を提供することが出来る。
【０００９】
【発明の実施の形態】本発明の形態を図面に基づいて詳しく説明する。
【実施例１】
図１は本発明囲炉裏火箱に収納する耐火構造体に空気流通坑口と空気坑を設けた囲炉裏の実施を示した断面図であり、図２は同様、耐火構造体の側壁・底壁を示した断面図、図３  Ａは耐火構造体側壁透視図で、Ｂは底壁の裏面透視図である。
【００１０】
図１に示すように、木材から成る幅広の炉縁部材１は略方形状にその接合面において枠組みしたもので、この表面は天然木目模様の高級感ある家具調の形態をなしている。
【００１１】
又、炉縁３の下方には火箱９が枠組みされた底付の箱形がダボ又はホゾ等の固定によって一体的に接合固定されており、全体として台座上縁に幅広の炉縁を設けた枠付テーブルとしての形態を成すと共に火箱９も、又、炉縁３も同等の材料で形成される。
【００１２】
さらに枠組みされた底付の火箱９に、本発明である耐火構造体に空気坑８・空気流通坑口８ａ・空気保有ゾーン１０を設けた底壁５を底部に置き、さらに側壁４の空気流通坑口６と空気坑７を内周辺壁４ヶ所に設置して空気坑７と８ａを連結することで囲炉裏が完成する。
【００１３】
耐火構造体の材質・材料は、天然の赤土・粘土、又は人造の固形断熱材・セメント及び金属であって、それぞれが耐火機能を保有するものである。
【００１４】
この耐火構造体側壁４（空気流通坑口６と空気坑７）・底壁５（空気坑８・空気流通坑口８ａと空気保有ゾーン１０）は、それぞれ空気が自然に流通する空気坑が配置されており、空気坑７・８ａは側壁４と、底壁５に連結されるので、空気保有ゾーン１０を通して空気が自然に流通して耐火構造体収納の灰１２を全体に常時活性化させる。
【００１５】
空気は耐火構造体側壁４の空気流通坑口６から流通して側壁各空気坑７から灰１１に入り込むと同時に空気保有ゾーン１０を通して底壁各空気坑８からも入り込むので灰１１全体に酸素を含み、燃焼する炭火の底部全体に活力を与え燃焼が増強される。
【００１６】
耐火構造体の側壁４各空気坑７と底壁５各空気坑８に収納する灰１１の落下防止に細鉄鋼・スチール鋼等の空気を通す材質で坑を埋設することで、空気坑が塞がることはない。灰の材質は木材等の燃焼灰（木灰）及び他にセラミック粒・ガラス発泡粒の人造粒に、天然の自然砂・火山砂等の粒状が耐火構造体に設けた空気坑からの空気の流通が最良であり、燃焼灰（木灰）に限定されていたことが、現況入手困難になっている木灰の代用となる新しい発見である。
【００１７】
【実施例２】
耐火構造体収納灰１１は側壁４各空気流通坑口６から側壁各空気坑７へ、空気が流通すると同時に底壁５の空気流通坑口８ａからも空気保有ゾーン１０を通して底壁各空気坑８へも流通するので湿気を含みやすい燃焼灰（木灰）は常時空気で活性化ができ、湿気防止対策となる耐火構造体に空気流通坑口と空気坑を設けた囲炉裏である。
【００１８】
【実施例３】
耐火構造体の側壁空気流動坑口６が図１では、灰１１と鉄網１３との間に設けられているが、底壁空気保有ゾーン１０から火箱９へ４方向真横に空気流通坑口（図示せず）を設ける。形態図面説明は実施例２と同じであるので省略する。
【００１９】
【実施例４】
実施例３では空気流通坑口６を底壁空気保有ゾーン１０から火箱９へ４方向真横に設けているが、底壁空気保有ゾーン１０から火箱底板１４へ４方向真下に設ける。形態図面説明は実施例２と同じであるので省略する。
【００２０】
【実施例５】
実施例４では空気流通坑口を底壁空気保有ゾーン１０から火箱底板１４へ４方向真下に設けているが、側壁４・上面・鉄網１３方向にそれぞれ設ける（図示せず）。形態図面説明は実施例２と同じであるので省略する。
【００２１】
【実施例６】
本発明は前述各実施形態に限定されるものではなく、本発明の要旨の範囲内において種々の変形実施が可能である。例えば、耐火構造体側壁が一体構造であってもよく、又、側壁と底壁が一体構造であって、空気坑が連結されていれば本発明の要旨の範囲内において適宜変更可能である。
【００２２】
【発明の効果】
以上で説明したように請求項１記載の発明は囲炉裏火箱に収納する耐火構造体に、空気流通坑口と空気坑を配置したことで、耐火構造体に収納する灰に側面から、又、底面より灰全体に、空気が流通して酸素を含み燃焼する炭火の底部全体に活力を与え燃焼が増強するので、灰の発生を抑制し、発生する二酸化炭素等の有害ガスをも抑制する従来とはまったく異なる機能を有する新しい囲炉裏を提供することができ、製造も簡単で優れた効果を奏する。
【００２３】
また請求項２・３記載の発明は、耐火構造体に空気流通坑口と空気坑を配置したことで囲炉裏を使用しない時、湿気を含みやすい燃焼灰（木灰）全体に空気が流通することで湿気防止策となる。
【００２４】
さらに灰は燃焼灰（木灰）に限定されていたことが、耐火構造体に、空気流通坑口と空気坑を配置したことは、燃焼灰（木灰）の粉体よりも、粒状のセラミック粒・ガラス発泡粒の人造粒・天然の砂・火山砂等が空気の流通が最良であるので、現在入手困難になっている木灰の代用となる。
【図面の簡単な説明】
【図１】本発明の耐火構造体に空気流通坑口と空気坑を配置した囲炉裏の断面図である。
【図２】耐火構造体の側壁と底壁の断面図である。
【図３】Ａ  耐火構造体側壁斜視図である。
Ｂ  耐火構造体側壁と底壁の斜視図である。
Ｃ  耐火構造体底壁裏面斜視図である。
【符号の説明】
１  炉縁部材
２  木表
３  炉縁
４  耐火構造体側壁
５  耐火構造体底壁
６  耐火構造体側壁空気流通坑口
７  耐火構造体側壁空気坑
８  耐火構造体底壁空気坑
８ａ  耐火構造体底壁空気坑口
９  火箱
１０  耐火構造体底壁空気保有ゾーン
１１  灰
１２  炭
１３  鉄網
１４  火箱底板
【図１】
2005030654.tif 000003
【図２】
2005030654.tif 000004
【図３】
2005030654.tif 000005